(57)【特許請求の範囲】
【請求項１】
略円筒状の袋壁がメッシュ構造とされると共に底部中央に穀類の排出口を設けた構造の穀類収納袋の内側に着脱可能に装着して、野毛を有する穀類を収容する内袋であって、
縦長に形成された複数の枠体を、長手方向の直線状縦枠部分を隣り合わせて順次結合した筒状の袋壁支持体と、前記袋壁支持体の各枠体に対してメッシュ生地を張設して構成される内袋壁体と、前記内袋壁体の下縁に沿って設けられた穀類の排出部を有する内袋底部とを備え、
前記メッシュ生地は前記穀類収納袋のメッシュ構造よりも目が細かく、かつ、前記野毛の直径よりも小さい通気性がある網目を有することを特徴とする穀類収納袋用の内袋。
【請求項２】
前記枠体は縦長の長円形状であり、前記メッシュ生地は前記袋壁支持体の湾曲する枠体上部の最上点近傍でほぼ水平に張設され、前記内袋壁体の上部開口縁がほぼ水平に形成されることを特徴とする請求項１記載の穀類収納袋用の内袋。
【請求項３】
前記内袋壁体は、前記袋壁支持体を構成する各枠体の枠内に張設される枠内用メッシュ生地と、湾曲する枠体上部の隣り合う縁部を繋ぎ前記袋壁支持体の谷型縁部を埋める枠体上部連結用メッシュ生地と、湾曲する枠体下部の隣り合う縁部を繋ぎ前記袋壁支持体の谷型縁部を埋める枠体下部連結用メッシュ生地とを備えて構成されることを特徴とする請求項２記載の穀類収納袋用の内袋。
【請求項４】
前記内袋壁体は、前記袋壁支持体の側面に対して１枚のメッシュ生地を張設して構成することを特徴とする請求項２記載の穀類収納袋用の内袋。
【請求項５】
前記枠体は弾性材で形成されると共に、前記袋壁支持体は偶数個の前記枠体を順次結合して筒状に構成され、隣接する枠体同士が互いの結合部を介して折り畳み可能であることを特徴とする請求項１乃至４のいずれかに記載の穀類収納袋用の内袋。
【発明の詳細な説明】
【技術分野】
【０００１】
本発明は、穀類を収納する穀類収納袋に関し、特に穀類収納袋の内側に配置して使用される穀類収納袋用の内袋に関する。
【背景技術】
【０００２】
従来、米や麦等の穀類を収納して搬送したり、保管するために種々の穀類収納袋が使用されている。例えば、円筒状の袋壁体と、中央に穀類の排出口を設けた底部を備えると共に、横倒れを防ぐために別途補助具を用いることなく自立するように構成された穀類収納袋が知られている（特許文献１）。そして穀類収納袋は、穀類を収納した状態のままで保管できるように、少なくとも袋壁体は通気性を有するメッシュ構造とされている。
【０００３】
このような穀類収納袋は、年間を通して収穫期の異なる穀物を収納して使用できるという利点がある。例えば、夏の麦収穫期には麦を収納して一定期間保管しておき、その後、秋の米収穫期には米を収納して一定期間保管しておくことができる。
【０００４】
【特許文献１】特開２００２−２５５２８２号公報
【発明の開示】
【発明が解決しようとする課題】
【０００５】
しかしながら、麦は米に比べて野毛が長いため、穀類収納袋に麦を収納した場合にはその野毛がメッシュ構造に引っ掛かり、底部から麦を排出した後も多数の麦粒が袋内に残留する。そして麦を保管していた穀類収納袋に米を収納すると、袋内に残留した麦が米に混入し、米の等級を下げるという問題があった。
【０００６】
そこで、本発明は上記従来の問題点を解決することを目的としてなされたものであり、従来から使用されている穀類収納袋の内側に配置し、麦等の比較的野毛の長い穀類を収納するための専用内袋を提供し、外袋となる穀類収納袋には野毛の長い穀類が残留しないようにするものである。
【課題を解決するための手段】
【０００７】
上記目的を達成するため、本発明が解決手段として採用したところは、略円筒状の袋壁がメッシュ構造とされると共に底部中央に穀類の排出口を設けた構造の穀類収納袋の内袋であって、縦長に形成された複数の枠体を、長手方向の直線状縦枠部分を隣り合わせて順次結合した筒状の袋壁支持体と、前記袋壁支持体の各枠体に対してメッシュ生地を張設して構成される内袋壁体と、前記内袋壁体の下縁に沿って設けられた穀類の排出部を有する内袋底部とを備え、前記メッシュ生地が前記穀類収納袋のメッシュ構造よりも目の細かく、かつ、前記野毛の直径よりも小さい通気性がある網目を有する構成とした点にある。したがって、内袋を穀類収納袋の内側に装着すると、袋壁支持体によって内袋壁体が自立し、内袋の上部開口が穀類収納袋の開口付近に配置されるので、内袋への穀類収納作業が行い易くなる。しかも内袋壁体には穀類収納袋のメッシュ構造よりも目が細かく、前記野毛の直径よりも小さい、通気性を備えた網目のメッシュ生地を張着してあるので、麦等の比較的野毛の長い穀類を収納した場合に、野毛や穀類が穀類収納袋のメッシュ構造に付着することを防止できる。
【０００８】
また上記内袋のより好ましい態様は、前記枠体が縦長の長円形状であり、前記メッシュ生地が前記袋壁支持体の湾曲する枠体上部の最上点近傍でほぼ水平に張設され、前記内袋壁体の上部開口縁をほぼ水平に形成することである。この場合、複数の枠体を筒状に複数結合して構成される袋壁支持体の谷型縁部から穀類が外側に溢れるのを防止できる。
【０００９】
そして上記の如く、内袋壁体の上部開口縁をほぼ水平な開口縁とするためには、前記内袋壁体を、前記袋壁支持体を構成する各枠体の枠内に張設される枠内用メッシュ生地と、湾曲する枠体上部の隣り合う縁部を繋ぎ前記袋壁支持体の谷型縁部を埋める枠体上部連結用メッシュ生地と、湾曲する枠体下部の隣り合う縁部を繋ぎ前記袋壁支持体の谷型縁部を埋める枠体下部連結用メッシュ生地とを備えて構成しても良いし、また前記袋壁支持体の側面に対して１枚のメッシュ生地を張設して構成しても良い。
【００１０】
また上記内袋の更により好ましい態様は、前記枠体を弾性材で形成すると共に、偶数個の前記枠体を順次結合して筒状の前記袋壁支持体を構成し、隣接する枠体同士が互いの結合部を介して折り畳み可能とすることである。これにより、複数の枠体を積み重ねるように折り畳むことができると共に、枠体が弾性材で構成されているので、一つに積み重ねた枠体を捻りながら曲げることで内袋全体をコンパクトに折り畳むことができる。
【発明の効果】
【００１１】
本発明に係る穀類収納袋用の内袋によれば、例えば穀類収納袋に対して比較的野毛の長い穀類等を収納する場合に、内袋を穀類収納袋に配置してその内袋に穀類を収納することで、外側の穀類収納袋には野毛の長い穀類等が付着しない構造となる。したがって、その後に異なる種類の穀類を収納する場合には、穀類収納袋から内袋を取り外し、穀類収納袋に対して直接収納すれば、穀類収納袋には野毛の長い穀類等が残留していないので、他の穀類が混入することはなく、穀類の等級低下を防止できる。しかも、内袋は袋壁支持体の作用によって自立するので内袋への穀類収納作業が行い易い構造となっている。
【発明を実施するための最良の形態】
【００１２】
以下図面に基づいて本発明の好ましい実施形態を詳述する。図１は本実施形態における穀類収納袋用の内袋１を示す図であり、図２はその内袋１を穀類収納袋２の内側に装着した状態を示す図である。図２に示す如く、内袋１は穀類収納袋２の内側に着脱可能であり、例えば穀類収納袋２に比較的野毛の長い穀類を収納する際には、内袋１を装着して穀類をその内袋に収納するという態様で使用するものである。外袋となる穀類収納袋２は、従来と同様の構成であり、略円筒状の袋壁２１と底部２３とを有し、袋壁２１の上縁部には上部開口２１ａを塞ぐための蓋２２が設けられると共に、底部２３には穀類を自然落下によって排出するための円筒状の排出部２４が設けられ、その排出部２４の側面には排出部２４を絞って穀類の落下を防止するための結束紐２５が設けられる。この穀類収納袋２の袋壁２１は、例えばポリエステルフィラメント糸を多数交差させてシート状に一体形成したメッシュ構造２６により穀類の保管に適した通気性を具備したものとして形成される。またこのメッシュ構造２６の網目は少なくとも穀類が通過しない程度の大きさに形成される。尚、図示を省略するが、穀類収納袋２には別途補助具等を用いることなく袋壁２１を自立するように支持する支持手段が設けられる。
【００１３】
上記穀類収納袋２に装着される内袋１は、図１に示す如く、筒状の内袋壁体３と、その内袋壁体３の下縁に沿って縫着して設けられる内袋底部４とを備え、その内袋底部４の中央には穀類を自然落下により排出するための円筒状の排出部５を設けると共に、排出部５の側面適所には排出部５を絞って穀類の落下を防止するため、両端に面ファスナー１２，１３が設けられた帯１１が付設される。内袋壁体３は、例えばグラスファイバー等の弾性材を用いて縦長の長円形状に形成された複数の枠体６によって構成される筒状の袋壁支持体７を備えている。各枠体６は縦長の長円形状であることから、その上部及び下部が略半円状に湾曲した形状を有し、その中間部が長手方向に略直線状となった縦枠部分となっている。このような枠体６は、例えば円形の環状弾性枠体を横方向から押し潰して縦長に偏平させることにより形成することができる。袋壁支持体７は各枠体６の直線状縦枠部分を互いに隣り合わせて順次結合することにより筒状に形成される。そして内袋壁体３は、袋壁支持体７を構成する各枠体６に対して通気性を有するメッシュ生地を張設した袋壁８を備えている。尚、本実施形態では、６個の枠体６を用いて平面視正六角形の袋壁支持体７を構成する場合を例示するが、枠体６の数はこれに限られず、Ｎ個（但し、Ｎは３以上であることが好ましい。）の枠体６を配置して平面視正Ｎ角形となる筒状の袋壁支持体７を構成しても良い。また内袋壁体３の外径は穀類収納袋２の内径と同等若しくは若干小径に形成することが好ましい。
【００１４】
上述のように、袋壁支持体７は縦長の枠体６のほぼ直線状となる縦枠部分が、隣接する他の枠体６の縦枠部分と結合されることにより筒状に形成されるが、その結合部には縦枠部分に沿って所定幅の当て生地９が縫着されており、この当て生地９によって結合部が補強されている。そして複数の枠体６が筒状に組み合わされた袋壁支持体７は内袋壁体３を自立可能なように支持する。
【００１５】
また上述のように袋壁支持体７は縦長の長円形状に形成された複数の枠体６が結合された構成であるので、その上縁及び下縁は水平な状態にはならず、半円状に湾曲した枠体が連なった形態となり、特に２つの枠体６の結合部における縁部は略Ｖ字状の谷型縁部を形成する。そのため、袋壁支持体７に対してメッシュ生地を張設して構成される袋壁８は、各枠体６の湾曲する枠体上部の最上点近傍にほぼ水平な上縁部を形成するように配置して袋壁支持体７における上側の谷型縁部を埋めると共に、湾曲する枠体下部の最下点近傍においてもほぼ水平な下縁部を形成するように配置して下側の谷型縁部を埋め、内袋壁体３の上縁及び下縁をほぼ水平にするように設けられる。これにより内袋壁体３の上部開口縁１０は、枠体６の湾曲する枠体上部の最上点近傍でほぼ水平な開口縁として形成され、谷型縁部から穀類が落下するのを防止できる。また袋壁底部４は内袋壁体３のほぼ水平とされた下縁に沿って縫着される。
【００１６】
内袋１の袋壁８を構成するメッシュ生地は、穀類収納袋２に設けられたメッシュ構造２６の網目よりも目の細かな網目を有する生地である。このため、仮に内袋１の袋壁８に穀類の野毛が突き刺さったとしても、穀類収納袋２から内袋１を取り外すことにより、穀類収納袋２には穀類が残留しない構造となる。そして内袋１に収納する穀類の野毛の直径よりも小さな網目を有するメッシュ生地を用いて袋壁８を形成し、穀類の野毛が袋壁８の外側に貫通しない構成とすることがより好ましい。尚、内袋底部４及び排出部５を袋壁８と同様のメッシュ生地を用いて構成しても良い。
【００１７】
図３は内袋１を展開した状態の一例を示す図である。袋壁８は、各枠体６の枠内に張着される枠内用メッシュ生地８ａと、湾曲する枠体上部の隣り合う縁部を繋ぎ、袋壁支持体７の谷型縁部を埋めるように配置される略三角形状の枠体上部連結用メッシュ生地８ｂと、湾曲する枠体下部の隣り合う縁部を繋ぎ、袋壁支持体７の谷型縁部を埋めるように配置される略三角形状の枠体下部連結用メッシュ生地８ｃとからなり、それぞれ袋壁支持体７に接合させて縫着される。内袋底部４は袋壁支持体７の形状に合わせて正六角形に形成され、各頂点に枠体下部連結用メッシュ生地８ｃの下縁の中点が接合される構成である。また内袋底部４の中心には穀類の排出口４ａが設けられ、この排出口４ａに対して円筒状の排出部５が縫着される。尚、各枠体６の枠内に張着される枠内用メッシュ生地８ａは、筒状の袋壁支持体７を構成する前に、予め各枠体６に対して個別に張着しておいても良い。また、図例ではメッシュ生地８ａ、８ｂ、８ｃを袋壁支持体７に設ける場合を示しているが、これに限定されるものではない。例えばメッシュ生地８ａ、８ｂ、８ｃの部分を一体構成した１枚のメッシュ生地を用意し、その１枚のメッシュ生地を袋壁支持体７の側面に張設することにより、袋壁８を構成しても良い。
【００１８】
上記構成を有する内袋１を穀類収納袋２の内側に装着して、麦等の比較的野毛の長い穀類を収納する場合、図２に示すように排出部５を絞った状態で内袋１を穀類収納袋２の内側に配置し、その内袋１に対して比較的野毛の長い穀類を収納する。このとき、穀類の野毛は内袋１の外側に出ないので、穀類収納袋２のメッシュ構造２６に穀類や野毛が付着することはない。そして穀類を排出するときには、排出部５の絞りを開放し、内袋１に収納した穀類を排出部５から自然落下により排出する。その後、穀類収納袋２に対して米等の他の穀類を収納する場合には、穀類収納袋２から内袋１を取り外し、穀類収納袋２に対して直接穀類を収納する。このとき仮に内袋１に麦が残留していたとしても、穀類収納袋２から内袋１を取り外すことにより、残留物のない穀類収納袋２が得られるので、その後、穀類収納袋２に米を収納したとしても麦が米に混入することはなく、等級低下の問題を解消できる。
【００１９】
上述の内袋１における袋壁支持体７は、隣接する枠体６同士が互いの結合部を介して折り畳み可能な構成である。そして各枠体６が弾性材で形成されているので、内袋１は穀類収納袋２から取り外した場合にコンパクトに折り畳むことができる構成となっている。図４は内袋１を折り畳む場合の一例を示す図である。まず内袋１の袋壁支持体７を立体的な筒状態様から平面態様に折り畳み、図４（ａ）に示す状態とする。そして矢印Ａ１，Ａ２に示す如く、左右の枠体６を中央に折り込み、図４（ｂ）に示す如く、複数の枠体６を１つに積み重ねた状態とする。そして矢印Ｂ１，Ｂ２に示す如く、積み重ねられた枠体６の上部を捻りながら曲げていき、下部に重ねることによって図４（ｃ）に示す状態とする。この状態では枠体６の縦寸法は約半分程度にコンパクト化される。そして矢印Ｃ１に示す如く、コンパクト化された枠体６を排出部５側に折り曲げ、図４（ｄ）に示す状態とする。このようにしてコンパクトに折り畳んだ内袋１を専用収納袋等に収納して保管しておけば、内袋１を使用しないときの保管スペースを小さくできる。但し、ここで述べたように、内袋１をコンパクトに折り畳み可能とするためには、袋壁支持体７を構成する枠体６の数を偶数個とすることが好ましい。
【００２０】
以上のように内袋１は、穀類収納袋２の内側に装着した状態で使用する専用内袋として構成され、使用時には穀類収納袋２に装着することが前提である。そのため、数百キログラム〜１トン程度の穀類を収納する場合であっても穀類収納袋２がその重量に耐え得る強度を有するので、内袋１はそれ程高い耐重量性を備える必要はなく、穀類収納袋２に比べて安価に作成できる。しかも内袋１は袋壁支持体７の作用によって自立するので、穀類収納袋２に装着したときには内袋１の上部開口縁１０が穀類収納袋２の上部開口２１ａとほぼ同じ高さに位置することになり、内袋１に対する穀類の収納作業を行い易い構成であると共に、内袋１の袋壁８は穀類収納袋２に設けられたメッシュ構造２６の網目よりも目の細かな生地で構成されるので、野毛の長い穀類が穀類収納袋２に付着することがない。そして内袋１を使用しないときには、上述したようにコンパクトに折り畳んだ状態とすることで、狭いスペースにも保管しておくことができるのである。
【図面の簡単な説明】
【００２１】
【図１】穀類収納袋用の内袋を示す斜視図である。
【図２】内袋を穀類収納袋に装着した状態を示す図である。
【図３】内袋を展開した状態の一例を示す図である。
【図４】内袋を折り畳む場合の一例を示す図である。
【符号の説明】
【００２２】
１  穀類収納袋用の内袋
２  穀類収納袋
３  内袋壁体
４  内袋底部
５  排出部
６  枠体
７  袋壁支持体
８  袋壁
【図１】
0004500251.tif 000002
【図２】
0004500251.tif 000003
【図３】
0004500251.tif 000004
【図４】
0004500251.tif 000005